(57)【要約】【課題】モータ等による外力を用いずかつ過度に牽引することのない、頚椎・胸椎を牽引して矯正する頚椎・胸椎牽引矯正器具を提供する。【解決手段】頚椎・胸椎牽引矯正器具は、背中を支持する支持面１２、支持面と略対向する底面１４、及び支持面及び底面に対して起立する一側面１６を有する背中支持部１０と、背中支持部の底面及び一側面側の側縁に略平行かつ離間可能な回動中心線に回動可能に支承され、頚椎と頭蓋骨との連結部付近に当接する当接部２２及び頭蓋骨を載置する載置部２４を含む回転部２０とを備える。【選択図】図１
0003129809.tif 000002
【実用新案登録請求の範囲】
【請求項１】
背中を支持する支持面、前記支持面と略対向する底面、及び前記支持面及び底面に対して起立する一側面を有する背中支持部と、
前記底面及び一側面側の側縁に略平行かつ離間可能な回動中心線に回動可能に支承され、頚椎と頭蓋骨との連結部付近に当接する当接部及び頭蓋骨を載置する載置部を含む回転部と
を備えることを特徴とする胸椎・頚椎牽引矯正器具。
【請求項２】
前記当接部が前記頚椎と頭蓋骨との連結部付近に当接する点における回動半径は、前記載置部が頭蓋骨を掲載する点における回動半径より小さいことを特徴とする請求項１に記載の胸椎・頚椎牽引矯正器具。
【請求項３】
前記当接部は、前記頭蓋骨の後頭骨に沿った彎曲形状であることを特徴とする請求項１又は２に記載の胸椎・頚椎牽引矯正器具。
【請求項４】
前記回転部を初期位置に付勢する付勢手段を備えることを特徴とする請求項１乃至３に記載の胸椎・頚椎牽引矯正器具。
【考案の詳細な説明】
【技術分野】
【０００１】
本発明は、頚椎・胸椎牽引矯正器具に関し、より詳細には、モータ等による外力を用いずかつ過度に牽引することのない、頚椎・胸椎を牽引して矯正する頚椎・胸椎牽引矯正器具に関する。
【背景技術】
【０００２】
人間の脊椎は、二足歩行に必要なバランスをとるために、成長とともに彎曲する。通常、脊椎は、頸椎、胸椎及び腰椎がそれぞれ前彎、後彎及び前湾してカーブを描くように彎曲している。脊椎の彎曲の異常を要因とする様々な症状（例えば、神経根の圧迫）がしられており、このような症状に対して牽引療法がしばしば用いられている。
【０００３】
従来、頚椎の牽引については、頭部に装着する頭部装着器具と、この頭部装着器具を上下動せしめるモータを有する機構とを有する頚椎治療器具が知られている（例えば、特開２００６−１５８４５１号公報および特開２００３−６２６号公報参照）。
【０００４】
また、首後部のみを機械的に頚椎を牽引する頚椎牽引装置が知られている（特表２００６−５２５８４１号公報の図２乃至６参照）。
【考案の開示】
【考案が解決しようとする課題】
【０００５】
しかしながら、従来のモータを有する機構の頚椎治療器具では、頸部の牽引にかかる力が必要以上に大きくなる恐れがある。また必要以上に大きな力による牽引は、筋肉の腱反射を生じさせ、牽引の効果を小さくするかあるいは逆効果となるという問題があった。
【０００６】
また、頚椎の彎曲は、胸椎の彎曲とも関連している。したがって、頚椎の異常な彎曲のみを矯正したとしても、胸椎の彎曲が矯正されなければ、二足歩行に必要なバランスをとるために、頚椎の彎曲は再び異常な状態に戻ってしまうという問題もあった。
【０００７】
本考案は、このような問題に鑑みてなされたもので、その目的とするところは、モータ等による外力を用いず、かつ過度に牽引することのない、頚椎・胸椎を牽引して矯正する頚椎・胸椎牽引矯正器具を提供することにある。
【課題を解決するための手段】
【０００８】
本考案は、このような目的を達成するために、請求項１に記載の考案は、胸椎・頚椎牽引矯正器具であって、背中を支持する支持面、前記支持面と略対向する底面、及び前記支持面及び底面に対して起立する一側面を有する背中支持部と、前記底面及び一側面側の側縁に略平行かつ離間可能な回動中心線に回動可能に支承され、頚椎と頭蓋骨との連結部付近に当接する当接部及び頭蓋骨を載置する載置部を含む回転部とを備えることを特徴とする。
【０００９】
請求項２に記載の考案は、請求項１に記載の胸椎・頚椎牽引矯正器具であって、前記当接部が前記頚椎と頭蓋骨との連結部付近に当接する点における回動半径は、前記載置部が頭蓋骨を掲載する点における回動半径より小さいことを特徴とする。
【００１０】
請求項３に記載の考案は、請求項１又は２に記載の胸椎・頚椎牽引矯正器具であって、前記当接部は、前記頭蓋骨の後頭骨に沿った彎曲形状であることを特徴とする。
【００１１】
請求項４に記載の考案は、請求項１乃至３に記載の胸椎・頚椎牽引矯正器具であって、前記回転部を初期位置に付勢する付勢手段を備えることを特徴とする。
【考案の効果】
【００１２】
以上説明したように、本発明によれば、モータ等による外力を用いず、かつ過度に牽引することのない、頚椎・胸椎を牽引して矯正する頚椎・胸椎牽引矯正器具を提供することが可能となる。
【考案を実施するための最良の形態】
【００１３】
以下、図面を参照しながら本考案の実施形態について詳細に説明する。本明細書および図面において、同一または類似する要素には、同一または類似の参照符号を用いて説明する。
【００１４】
図１乃至４を参照して、本実施形態にかかる胸椎・頚椎牽引矯正器具の構成を説明する。図１は、本考案の一実施形態にかかる胸椎・頚椎牽引矯正器具の斜視図である。また、図２乃至４はそれぞれ、図１に示す胸椎・頚椎牽引矯正器具の断面線Ａ−Ａ’における断面図、平面図および背面図である。
【００１５】
本実施形態の胸椎・頚椎牽引矯正器具１は、背中支持部１０と、回転部２０とを備える。背中支持部１０及び回転部２０は、板やベッドの仰臥面などに固着される。
【００１６】
背中支持部１０背中を支持する支持面１２、支持面１２と略対向する底面１４、及び支持面１２及び底面１４に対して起立する一側面１６を有する。背中支持部１０は、底面１４に対して傾斜して略対向している。
【００１７】
回転部２０は、頚椎と頭蓋骨との連結部付近（例えば、後頭骨の頂平面付近）に当接する当接部２２及び頭蓋骨を載置する載置部２４を含む。また、回転部２０は、背中支持部１０の底面１４及び一側面側１６の側縁Ｄに略平行かつ離間可能な回動中心線Ａに回動可能に支承される。
【００１８】
次に、図５乃至７を参照して、胸椎・頚椎牽引矯正器具１の作用効果を説明する。図５は、使用者が胸椎・頚椎牽引矯正器具１を使用開始する段階を示す図である。図６は、使用者の胸椎および頚椎が牽引されている段階を示す図である。図７は、本考案の原理を説明するための図である。
【００１９】
図５に示すように、使用者は、後頭骨の後頭平面付近が載置部２４に接する位置で、背面支持部１０の支持面１２が背中を支持するように仰臥する。この段階では、使用者は自らの意思で、顎を引き頭部を前傾させている。
【００２０】
次いで、図６に示すように、使用者は、徐々に頭部の前傾を弱め、頭部を載置部２４に載置する。このとき、載置部２４にかかる頭部の重みにより、回転部２０が回動中心線２６に対して回転する。この回転により当接部２２は、頚椎と頭蓋骨との連結部付近に当接し、頚椎を脊椎の長手方向に徐々に牽引し、やがて牽引した状態で静止する。この状態では、脊椎のみならず胸椎も同時に脊椎の長手方向に牽引されている。
【００２１】
図７は、図６の状態における各部位にかかる力の関係を示している。Ａ点，Ｂ点及びＣ点はそれぞれ、回転部２０の回転中心線２６、載置部２４及び当接部２２に対応し、Ａ点とＢ点との距離ＡＢ（載置部が頭蓋骨を載置する点における回転半径）は、Ａ点とＣ点との距離ＡＣ（当接部が頚椎と頭蓋骨との連結部付近に当接する点における回動半径）より大きい場合を示している。また、Ｄ点は、底面１４及び一側面側１６の側縁に対応している。回転部２０を支承する面とＡＢのなす角をθとして示している。
【００２２】
上記のように、当接部２２が後頭骨の頂平面付近に当接し、後頭骨の後頭平面付近が載置部２４に接する場合、Ｂ点とＣ点の距離は約９ｃｍである。
【００２３】
頭部の重み（Ｗ［Ｎ］：一般的な頭部の質量は７〜８ｋｇ）がＢ点に荷重され、Ａ点における時計回りの回転力Ｔが生じる。回転力ＴはＷｃｏｓθ×ＡＢとなる。これに対して、Ｃ点には、回転部２０を静止させるＡ点おける反時計回りの反力が生じる。この反力と反対方向（すなわち、Ａ点おける時計回り）の力Ｆの脊椎の長手方向の力が牽引力Ｐとなる。ここで、Ｆは、Ｗｃｏｓθ×ＡＢ／ＡＣと表すことができ、ＡＣ＜ＡＢの場合、Ｆは、ＡＣ≧ＡＢの場合に比べて大きくなる。
【００２４】
好ましくは、胸椎・頚椎牽引矯正器具は、図５に示すように回転部２０を初期位置に付勢する付勢手段としてのバネ３０を備える。これにより、胸椎・頚椎牽引矯正器具の使用者が自ら回転部２０を初期位置に付勢する必要がなくなり、利便性が高まる。
【００２５】
図８は、本考案の別の実施形態にかかる胸椎・頚椎牽引矯正器具の斜視図である。図８に示す胸椎・頚椎牽引矯正器具は、当接部が上記実施形態にかかる胸椎・頚椎牽引矯正器具の当接部と形状が異なる。
【００２６】
図８に示す胸椎・頚椎牽引矯正器具の当接部は、頭蓋骨の後頭骨に沿った彎曲形状を有する。これにより、当接部と使用者の頭蓋骨との勘合性が高まり、頚椎の牽引力が高まる。
【００２７】
上記で説明したように、背中支持部１０及び回転部２０を、ベッドの仰臥面などに固着することができるが、背中支持部１０及び回転部２０の少なくとも一方を、ベッドの仰臥面に対して背中の長手方向に可動に配設してもよい。これにより、背中支持部１０と回転部２０との距離を使用者の体型に合わせて調整することが可能となり、より効果的な頚椎および胸椎の牽引矯正が可能となる。
【００２８】
以上に説明したように、本考案によれば、胸椎および頚椎を牽引した状態を保持できる胸椎・頚椎牽引矯正器具を提供することができる。また、本考案によれば、モータ等による外力を用いる代わりに使用者の頭部の重みを牽引力としているため、過度の牽引による筋肉の腱反射を生じさせない安全性に優れた胸椎・頚椎牽引矯正器具を提供することができる。
【図面の簡単な説明】
【００２９】
【図１】本考案の一実施形態にかかる胸椎・頚椎牽引矯正器具の斜視図である。
【図２】図１に示す胸椎・頚椎牽引矯正器具の断面図である。
【図３】図１に示す胸椎・頚椎牽引矯正器具の平面図である。
【図４】図１に示す胸椎・頚椎牽引矯正器具の背面図である。
【図５】本考案の一実施形態にかかる胸椎・頚椎牽引矯正器具の作用を説明するための図である。
【図６】本考案の一実施形態にかかる胸椎・頚椎牽引矯正器具の作用を説明するための図である。
【図７】本考案の原理を説明するための図である。
【図８】本考案の別の実施形態にかかる胸椎・頚椎牽引矯正器具の斜視図である。
【符号の説明】
【００３０】
１胸椎・頚椎牽引矯正器具
１０  背中支持部
１２  支持面
１４  底面
１６  側面
２０  回転部
２２  当接部
２４  載置部
２６  回動中心線
３０  バネ
【図１】
0003129809.tif 000003
【図２】
0003129809.tif 000004
【図３】
0003129809.tif 000005
【図４】
0003129809.tif 000006
【図５】
0003129809.tif 000007
【図６】
0003129809.tif 000008
【図７】
0003129809.tif 000009
【図８】
0003129809.tif 000010
【手続補正書】
【提出日】平成18年12月20日(2006.12.20)
【手続補正１】
【補正対象書類名】実用新案登録請求の範囲
【補正対象項目名】請求項４
【補正方法】変更
【補正の内容】
【請求項４】
前記回転部を初期位置に付勢する付勢手段を備えることを特徴とする請求項１乃至３のいずれかに記載の胸椎・頚椎牽引矯正器具。
【手続補正２】
【補正対象書類名】明細書
【補正対象項目名】００１１
【補正方法】変更
【補正の内容】
【００１１】
請求項４に記載の考案は、請求項１乃至３のいずれかに記載の胸椎・頚椎牽引矯正器具であって、前記回転部を初期位置に付勢する付勢手段を備えることを特徴とする。